(57)【要約】【課題】  くじ抽選の結果を送付物の受取人だけでなく送付人にも通知する。【解決手段】  サーバ（３）は、送付物（４）の送付人の端末（ユーザＡの通信端末５）からの送信情報（抽選対象情報と送付人ＩＤ）と、送付物（４）の受取人の端末（ユーザＢの通信端末５）からの送信情報（抽選対象情報と受取人ＩＤ）とを記憶して管理するとともに、記録されている抽選対象情報の当落を判定して、その判定結果を前記送付人および前記受取人の双方に通知する。【選択図】  図１
2016153942.tif 000002
【特許請求の範囲】
【請求項１】
複数の情報処理端末とサーバを含む通知システムであって、
第一情報処理端末は、
送付物に対応付けられた抽選対象情報を、当該送付物の送付人の識別情報と共に前記サーバに送信する第一送信手段、
を備え、
第二情報処理端末は、
前記送付物に対応付けられた抽選対象情報を、当該送付物の受取人の識別情報と共に前記サーバに送信する第二送信手段、
を備え、
前記サーバは、
前記第一送信手段から送信された抽選対象情報と前記送付人の識別情報とを対応付けて記録する第一記録手段と、
前記第二送信手段から送信された抽選対象情報と前記受取人の識別情報とを対応付けて記録する第二記録手段と、
前記第二記録手段に記録されている抽選対象情報の当落を判定する第一判定手段と、
前記第一判定手段の判定結果を前記第一情報処理端末および前記第二情報処理端末に通知する通知手段と、
を備えたことを特徴とする通知システム。
【請求項２】
前記通知手段は、前記第一情報処理端末に対して前記抽選対象情報が当選の場合のみ通知し、前記第二情報処理端末に対して前記抽選対象情報の当選と落選のいずれの場合でも通知することを特徴とする請求項１に記載の通知システム。
【請求項３】
前記サーバは、
前記第一送信手段によって送信された抽選対象情報の数を計数する計数手段と、
前記計数手段による計数結果が所定値を上回っているか否かを判定する第二判定手段と、
前記第二判定手段によって計数結果が所定値を上回っていることが判定される度に前記第一情報処理端末に対して特典を付与する付与手段と、
を更に備えたことを特徴とする請求項１または２に記載の通知システム。
【請求項４】
前記第一情報処理端末は、
第一撮像手段を更に備え、
前記第一送信手段は、前記第一撮像手段による撮像によって得られた前記抽選対象情報を当該送付物の送付人の識別情報と共に前記サーバに送信し、
前記第二情報処理端末は、
第二撮像手段を更に備え、
前記第二送信手段は、前記第二撮像手段による撮像によって得られた前記抽選対象情報を当該送付物の受取人の識別情報と共に前記サーバに送信することを特徴とする請求項１乃至３の何れかに記載の通知システム。
【請求項５】
情報処理端末と通信するサーバであって、
前記情報処理端末から送信された抽選対象情報と、前記送付人の識別情報と、前記受取人の識別情報と、を対応付けて記録する記録手段と、
前記抽選対象情報に対応する抽選の当落を判定する判定手段と、
前記判定手段の判定結果を前記情報処理端末に通知する通知手段と、
を備えたことを特徴とするサーバ。
【請求項６】
サーバと通信する情報処理端末であって、
送付物に対応付けられた抽選対象情報を、当該送付物の送付人の識別情報または当該送付物の受取人の識別情報と共に前記サーバに送信する送信手段と、
前記サーバから送られる前記抽選対象情報に対応する抽選の当落結果を報知する報知手段と、
を備えたことを特徴とする情報処理端末。
【請求項７】
情報処理端末から送信された抽選対象情報と、前記送付人の識別情報と、前記受取人の識別情報と、を対応付けて記録する記録手段を備えたサーバの制御部に、
前記抽選対象情報に対応する抽選の当落を判定する判定手段、
前記判定手段の判定結果を前記情報処理端末に通知する通知手段、
としての機能を実現させるためのプログラム。
【請求項８】
通信端末の制御部に、
送付物に対応付けられた抽選対象情報を、当該送付物の送付人の識別情報または当該送付物の受取人の識別情報と共にサーバに送信する送信手段、
前記サーバから送られる前記抽選対象情報に対応する抽選の当落結果を報知する報知手段、
としての機能を実現させるためのプログラム。
【発明の詳細な説明】
【技術分野】
【０００１】
本発明は、年賀はがき等のくじ抽選付送付物の抽選結果を通知する通知システム、サーバ、情報処理端末およびプログラムに関する。
【背景技術】
【０００２】
従来から、年賀はがき等のくじ抽選付送付物（以下、単に「送付物」という）における抽選結果（当落結果）の確認は、新聞等に発表された当選番号と、手元の送付物に記載された抽選対象情報（一意に識別可能な数字や文字または記号もしくは図形などで構成された情報であって、一般的には「抽選番号」と称されることが多い）とを照らし合わせて行っていたが、送付物の数によっては多大な手間がかかって面倒であるし、人為的な照合ミスも避けられなかった。
【０００３】
そこで、下記の非特許文献１には、受け取った送付物の抽選番号をスキャナで読み取って文字認識し、文字認識された抽選番号をインターネット上の当選番号と電子的に照合する技術が記載されている。この技術によれば、抽選結果の確認を自動化して手間の軽減を図ることができる上、人為的な照合ミスも回避することができる。
【先行技術文献】
【非特許文献】
【０００４】
【非特許文献１】“年賀状のお年玉番号を一括チェックする”、［ｏｎｌｉｎｅ］、２０１１年１月２５日、［Ｋｉｚｕｋｉ，Ｂｕｓｉｎｅｓｓ  Ｍｅｄｉａ誠］、［平成２７年２月１７日検索］、インターネット＜ＵＲＬ：http://bizmakoto.jp/bizid/articles/1101/25/news035.html＞
【発明の概要】
【発明が解決しようとする課題】
【０００５】
しかしながら、前記の非特許文献１に記載の技術にあっては、送付物の「受取人」しか抽選結果を知ることができないため、送付物の送付人は抽選結果についてまったく関知できないという欠点がある。
そこで、本発明は、くじ抽選の結果を、送付物の受取人だけでなく送付人にも通知することができる通知システム、サーバ、情報処理端末およびプログラムを提供することにある。
【課題を解決するための手段】
【０００６】
本発明に係る通知システムは、複数の情報処理端末とサーバを含む通知システムであって、第一情報処理端末は、送付物に対応付けられた抽選対象情報を、当該送付物の送付人の識別情報と共に前記サーバに送信する第一送信手段、を備え、第二情報処理端末は、前記送付物に対応付けられた抽選対象情報を、当該送付物の受取人の識別情報と共に前記サーバに送信する第二送信手段、を備え、前記サーバは、前記第一送信手段から送信された抽選対象情報と前記送付人の識別情報とを対応付けて記録する第一記録手段と、前記第二送信手段から送信された抽選対象情報と前記受取人の識別情報とを対応付けて記録する第二記録手段と、前記第二記録手段に記録されている抽選対象情報の当落を判定する第一判定手段と、前記第一判定手段の判定結果を前記第一情報処理端末および前記第二情報処理端末に通知する通知手段と、を備えたことを特徴とする。
本発明に係るサーバは、情報処理端末と通信するサーバであって、前記情報処理端末から送信された抽選対象情報と、前記送付人の識別情報と、前記受取人の識別情報と、を対応付けて記録する記録手段と、前記抽選対象情報に対応する抽選の当落を判定する判定手段と、前記判定手段の判定結果を前記情報処理端末に通知する通知手段と、を備えたことを特徴とする
本発明に係る情報処理端末は、サーバと通信する情報処理端末であって、送付物に対応付けられた抽選対象情報を、当該送付物の送付人の識別情報または当該送付物の受取人の識別情報と共に前記サーバに送信する送信手段と、前記サーバから送られる前記抽選対象情報に対応する抽選の当落結果を報知する報知手段と、を備えたことを特徴とする。
本発明に係るプログラムは、情報処理端末から送信された抽選対象情報と、前記送付人の識別情報と、前記受取人の識別情報と、を対応付けて記録する記録手段を備えたサーバの制御部に、前記抽選対象情報に対応する抽選の当落を判定する判定手段、前記判定手段の判定結果を前記情報処理端末に通知する通知手段、としての機能を実現させることを特徴とする。
【発明の効果】
【０００７】
本発明によれば、くじ抽選の結果を、送付物の受取人だけでなく送付人にも通知することができる通知システム、サーバ、情報処理端末およびプログラムを提供することができる。
【図面の簡単な説明】
【０００８】
【図１】実施形態のシステム全体概念図である。
【図２】通信端末５の外観図である。
【図３】通信端末５の簡略構成図である。
【図４】メモリ１９の概念的な記憶空間図である。
【図５】サーバ３の簡略構成図である。
【図６】記憶部４０の概念的な記憶空間図である。
【図７】データベース４７の概念構造図である。
【図８】通信端末５の制御部２１で実行される抽選確認アプリケーションプログラムの処理を示す図である。
【図９】アプリケーション画面５８を示す図である。
【図１０】送付人処理（図８のステップＳ１０２）を示す図である。
【図１１】受取人処理（図８のステップＳ１０４）を示す図である。
【図１２】サーバ３で実行されるサーバ処理を示す図である。
【図１３】送付人からの情報登録の一例を示す図である。
【図１４】受取人からの情報登録の一例を示す図である。
【図１５】サーバ３で実行される抽選結果通知処理を示す図（１／２）である。
【図１６】サーバ３で実行される抽選結果通知処理を示す図（２／２）である。
【図１７】図１２のサーバ処理の改良例を示す図である。
【発明を実施するための形態】
【０００９】
以下、本発明の実施形態を、年賀はがきの抽選結果を通知するシステムを例にして、図面を参照しながら説明する。
まず、構成を説明する。
図１は、実施形態のシステム全体概念図である。
この図において、通知システム１は、インターネット等のネットワーク２に常時接続されたサーバ３を備えており、このサーバ３は、年賀はがき等のくじ抽選付送付物（単に「送付物４」という）の抽選結果を通知するための通知サービスを多数のユーザ（図では代表してユーザＡ、Ｂ）に提供する。
【００１０】
ユーザＡは送付物４の「送付人」、ユーザＢは送付物４の「受取人」である。送付物４は所定の手段（送付物４が年賀はがきであれば郵送、または、送付物４が荷物等であれば宅配等の手段）で送付人宅から受取人宅へと配送される。
【００１１】
ユーザＡ（送付人）とユーザＢ（受取人）は、それぞれサーバ３の通知サービスを利用可能な通信端末５（情報処理端末）を所有している。この通信端末５は、たとえば、スマートフォン等の携帯端末やパーソナルコンピュータまたはその他の情報処理端末を使用することができる。この実施形態では、一例として通信端末５に携帯端末を使用するものとする。
【００１２】
ユーザＡは、送付物４の抽選番号（例：“Ａ０００１−００００１”）を画像認識や直接入力または音声認識して通信端末５に入力し、その入力情報と送付人ＩＤ（例：メールアドレス）をサーバ３に送信（矢印ア）した後、送付物４をユーザＢ宛に送付する。
【００１３】
ユーザＢは、受け取った送付物４の抽選番号（例：“Ａ０００１−００００１”）を画像認識や直接入力または音声認識して通信端末５に入力し、その入力情報と受取人ＩＤ（例：メールアドレス）をサーバ３に送信（矢印イ）する。
【００１４】
サーバ３は、ユーザＡ、Ｂから送信された情報（抽選番号、送付人ＩＤ、受取人ＩＤ）をデータベースで管理し、当選番号が発表された後に、その当選番号と、ユーザＡ、Ｂから送信された抽選番号とを照合する。そして、その照合の結果を抽選結果としてユーザＡ、Ｂ宛に所要の方法（例：メール）で通知（矢印ウ、エ）する。
【００１５】
詳細は後述するが、この実施形態における受取人に対する通知（矢印エ）は「当選と落選の双方」の結果であり、送付人に対する通知（矢印ウ）は「当選」の結果のみであるがこれに限らず、「当選と落選の双方」を送付人に通知してもよい。
【００１６】
図２は、通信端末５の外観図である。
この図において、通信端末５は手持ち可能な大きさの縦長矩形状薄型の筐体６を有しており、この筐体６の前面に前面カメラ部７、スピーカ８、タッチパネル付の表示部９およびホームボタン１０を配置するとともに、筐体６の上面と下面にそれぞれ電源スイッチ１１とマイク１２を配置し、さらに、筐体６の背面に背面カメラ部１３を配置している。
【００１７】
図３は、通信端末５の簡略構成図である。通信端末５は、無線通信部１４、音声処理部１５、前面カメラ部７、背面カメラ部１３、操作部１６、タッチパネル１７付の表示部９、メモリ１９、バッテリ２０および制御部２１を備える。
【００１８】
無線通信部１４は、制御部２１からの制御により、アンテナ２２を介して最寄りの携帯電話基地局（図示略）との間で所定周波数帯域及び所定変調方式の無線によるデジタルデータの送受信を行う。このデジタルデータには、電話の着呼や発呼の情報および音声通話の情報が含まれるほか、必要に応じ、インターネット２（図１参照）上のサーバ（サーバ３等）との間でやり取りされるデータも含まれる。
【００１９】
音声処理部１５は、制御部２１からの制御により、マイク１２で拾った音声信号をデジタルデータに変換して制御部２１に出力したり、制御部２１から出力されたデジタルの音声信号をアナログ信号に変換してスピーカ８から拡声したりする。
【００２０】
操作部１６は、図１のホームボタン１０や電源スイッチ１１へのユーザ操作に対応した入力信号を発生して制御部２１に出力する。
【００２１】
表示部９は、制御部２１から適宜に出力される任意の情報を可視化して画面上に表示する。この表示部９は、人体の一部（指先等）や静電ペンなどの接触を１点または２点もしくは３点以上の多点で検知することができるマルチタッチ方式のタッチパネル１７付きであり、このタッチパネル１７は、ユーザのタッチ操作を検知してそのタッチ座標等の検知信号を制御部２１に出力する。
【００２２】
メモリ１９は、不揮発性且つ書き換え可能な情報記憶要素であり、たとえば、フラッシュメモリやシリコンディスクあるいはハードディスクなどを用いることができる。このメモリ１９は、基本プログラムや各種のアプリケーションプログラムおよびそれらのプログラムの動作に必要なデータテーブル等を記憶するほか、前面カメラ部７や背面カメラ部１３で撮影した写真や動画のデータなどを記憶することができる。
【００２３】
バッテリ２０は、充電可能な二次電池と充電回路で構成されており、この二次電池の電力から通信端末５の動作に必要な各種電源電圧を発生して各部に供給する。
【００２４】
制御部２１は、コンピュータまたはマイクロコンピュータ（以下、ＣＰＵ２３）および高速半導体メモリ（以下、ＲＡＭ２４）ならびに不図示の周辺回路を含むプログラム制御方式の制御要素であり、あらかじめメモリ１９に記憶されている基本プログラムや各種のアプリケーションプログラムおよびそれらのプログラムの動作に必要なデータテーブル等をＲＡＭ２４にロードしてＣＰＵ２３で実行することにより、各種の処理を逐次に実行して、この通信端末５の全体動作を統括制御する。
【００２５】
図４は、メモリ１９の概念的な記憶空間図である。
この図において、メモリ１９は、基本プログラムの記憶領域２５と、メールアプリケーションプログラムの記憶領域２６と、抽選確認アプリケーションプログラムの記憶領域２７と、その他のアプリケーションプログラムの記憶領域２８と、送付人用データテーブル２９の記憶領域３０と、受取人用データテーブル３１の記憶領域３２とを備えている。
【００２６】
送付人用データテーブル２９は、送付物４の抽選番号を格納する抽選番号フィールド３３と、送付人ＩＤ（例：メールアドレス）を格納する送付人ＩＤフィールド３４とを有し、同様に、受取人用データテーブル３１も、送付物４の抽選番号を格納する抽選番号フィールド３５と、受取人ＩＤ（例：メールアドレス）を格納する受取人ＩＤフィールド３６とを有している。
【００２７】
図５は、サーバ３の簡略構成図である。サーバ３は、有線通信部３７、操作部３８、表示部３９、記憶部４０および制御部４１を備える。
【００２８】
有線通信部３７は、インターネット２を介して任意の端末（図１のユーザＡ、Ｂの通信端末５等）と制御部４１との間でやり取りされるデータを中継し、操作部３８は、キーボードやマウスなどの入力装置を含み、それらの入力装置への操作に対応した入力信号を発生して制御部４１に出力する。また、表示部３９は、制御部４１から適宜に出力される任意の情報を可視化して画面上に表示する。さらに、記憶部４０は、たとえば、ハードディスクやシリコンディスク等の大容量記憶デバイスであり、基本プログラムやサーバ処理プログラムおよびそれらのプログラムの動作に必要なデータベース等を記憶する。
【００２９】
制御部４１は、コンピュータまたはマイクロコンピュータ（以下、ＣＰＵ４２）および高速半導体メモリ（以下、ＲＡＭ４３）ならびに不図示の周辺回路を含むプログラム制御方式の制御要素であり、あらかじめ記憶部４０に記憶されている基本プログラムやサーバ処理プログラムおよびそれらのプログラムの動作に必要なデータベース等をＲＡＭ４３にロードしてＣＰＵ４２で実行することにより、各種の処理を逐次に実行して、このサーバ３の全体動作を統括制御する。
【００３０】
図６は、記憶部４０の概念的な記憶空間図である。
この図において、記憶部４０は、基本プログラムの記憶領域４４と、サーバ処理プログラムの記憶領域４５と、抽選結果通知処理プログラムの記憶領域４６と、データベース４７の記憶領域４８とを備えている。
【００３１】
図７は、データベース４７の概念構造図である。
データベース４７は、送付物４の抽選番号を格納する抽選番号フィールド４９と、送付人情報フィールド５０と、受取人情報フィールド５１と、抽選結果フィールド５２と、通知フラグフィールド５３とを有しており、さらに、送付人情報フィールド５０は送付フラグフィールド５４と、送付人ＩＤフィールド５５とを有し、また、受取人情報フィールド５１は受取フラグフィールド５６と、受取人ＩＤフィールド５７とを有している。各フィールドの初期値は空白またはＮｕｌｌ値である。
【００３２】
次に、作用を説明する。
図８は、通信端末５の制御部２１で実行される抽選確認アプリケーションプログラムの処理を示す図である。
【００３３】
ユーザＡまたはユーザＢは、所定の手順（一般的には表示部９に表示されているアイコンにタッチする）で抽選確認アプリケーションプログラムを起動する。
【００３４】
抽選確認アプリケーションプログラムが起動すると、通信端末５の制御部２１は、まず、抽選確認アプリケーションプログラムのアプリケーション画面を表示部９に表示する（ステップＳ１００）。
【００３５】
図９は、アプリケーション画面５８を示す図である。
アプリケーション画面５８は、送付人処理ボタン５９と受取人処理ボタン６０および終了ボタン６１を有している。送付人（ユーザＡ）は送付人処理ボタン５９にタッチし、受取人（ユーザＢ）は受取人処理ボタン６０にタッチする。抽選確認アプリケーションプログラムを終了する場合は終了ボタン６１にタッチする。
【００３６】
再び、図８に戻り、通信端末５の制御部２１は、送付人処理ボタン５９にタッチされたか否かを判定する（ステップＳ１０１）。そして、タッチされていた場合は、送付人処理を実行（ステップＳ１０２）した後、ステップＳ１０１に戻り、タッチされていなかった場合は、受取人処理ボタン６０にタッチされたか否かを判定する（ステップＳ１０３）。そして、タッチされていた場合は、受取人処理を実行（ステップＳ１０４）した後、ステップＳ１０１に戻り、タッチされていなかった場合は、終了ボタン６１にタッチされたか否かを判定する（ステップＳ１０５）。そして、タッチされていなかった場合は、ステップＳ１０１に戻り、タッチされていた場合は、抽選確認アプリケーションプログラムを終了する。
【００３７】
図１０は、送付人処理（図８のステップＳ１０２）を示す図である。
この送付人処理では通信端末５の制御部２１は、まず、背面カメラ１３を起動して送付物４を撮影し、その撮影画像を読み込み（ステップＳ２００）、その撮影画像から抽選番号を抽出して文字認識する（ステップＳ２０１）。
【００３８】
通信端末５の制御部２１は、次に、表示部９の画面上のＯＫボタン６２とキャンセルボタン６３のいずれがタッチされたかを判定する（ステップＳ２０２）。
【００３９】
そして、キャンセルボタン６３のタッチを判定した場合はステップＳ２００に戻り、ＯＫボタン６２のタッチを判定した場合は文字認識された抽選番号と、送付人ＩＤをメモリ１９の送付人用データテーブル２９に登録する（ステップＳ２０３）。
【００４０】
通信端末５の制御部２１は、次に、表示部９の画面上の継続ボタン６４と終了ボタン６５のいずれがタッチされたかを判定する（ステップＳ２０４）。
【００４１】
継続ボタン６４のタッチを判定した場合はステップＳ２００に戻り、ステップＳ２００からステップＳ２０４までの処理を繰り返す。たとえば、抽選番号の“Ａ０００１−００００１”、“Ａ０００１−００００２”および“Ａ０００１−００００３”を送付人用データテーブル２９に登録する場合には、ステップＳ２００からステップＳ２０４までの処理が３回繰り返されることになる。この場合の送付人用データテーブル２９の状態は、図４（ｂ）のようになる。なお、“ａａａ＠ｍａｉｌ．ｎｅ．ｊｐ”は送付人ＩＤとしてのメールアドレス例である。
【００４２】
終了ボタン６５のタッチを判定した場合は送付人用データテーブル２９に登録した情報（抽選番号と送付人ＩＤ）のすべてをサーバ３に送信し（ステップＳ２０５）、表示部９の画面上の終了ボタン６６のタッチを判定（ステップＳ２０６）すると、送付人用データテーブル２９を初期化して（ステップＳ２０７）、図８の抽選確認アプリケーションプログラムに戻る。
【００４３】
図１１は、受取人処理（図８のステップＳ１０４）を示す図である。
この受取人処理では通信端末５の制御部２１は、まず、背面カメラ１３を起動して送付物４を撮影し、その撮影画像を読み込み（ステップＳ３００）、その撮影画像から抽選番号を抽出して文字認識する（ステップＳ３０１）。
【００４４】
通信端末５の制御部２１は、次に、表示部９の画面上のＯＫボタン６７とキャンセルボタン６８のいずれがタッチされたかを判定する（ステップＳ３０２）。
【００４５】
そして、キャンセルボタン６８のタッチを判定した場合はステップＳ３００に戻り、ＯＫボタン６７のタッチを判定した場合は文字認識された抽選番号と、受取人ＩＤとをメモリ１９の受取人用データテーブル３１に登録する（ステップＳ３０３）。
【００４６】
通信端末５の制御部２１は、次に、表示部９の画面上の継続ボタン６９と終了ボタン７０のいずれがタッチされたかを判定する（ステップＳ３０４）。
【００４７】
継続ボタン６９のタッチを判定した場合はステップＳ３００に戻り、ステップＳ３００からステップＳ３０４までの処理を繰り返す。たとえば、抽選番号の“Ａ０００１−００００１”、“Ａ０００１−００００２”および“Ａ０００１−００００３”を受取人用データテーブル３１に登録する場合には、ステップＳ３００からステップＳ３０４までの処理が３回繰り返されることになる。この場合の受取人用データテーブル３１の状態は、図４（ｃ）のようになる。なお、“ｂｂｂ＠ｍａｉｌ．ｎｅ．ｊｐ”は受取人ＩＤとしてのメールアドレス例である。
【００４８】
終了ボタン７０のタッチを判定した場合は受取人用データテーブル３１に登録した情報（抽選番号と受取人ＩＤ）のすべてをサーバ３に送信し（ステップＳ３０５）、表示部９の画面上の終了ボタン７１のタッチを判定（ステップＳ３０６）すると、受取人用データテーブル３１を初期化して（ステップＳ３０７）、図８の抽選確認アプリケーションプログラムに戻る。
【００４９】
図１２は、サーバ３で実行されるサーバ処理を示す図である。
この図において、サーバ３の制御部４１は、まず、送付人端末（図１のユーザＡの通信端末５）からの情報送信であるか否かを判定する（ステップＳ４００）。
【００５０】
ステップＳ４００で送付人端末からの情報送信が判定された場合は、その送付人端末から送信された情報（抽選番号と送付人ＩＤ）を取り込み、その情報に含まれている抽選番号と送付人ＩＤがデータベース４７にすでに登録済みであるか否かを判定する（ステップＳ４０１）。
【００５１】
そして、登録済みであれば、たとえば、“この抽選番号は同一送付人ＩＤで登録済みです”などのエラーメッセージを送付人端末に送信（ステップＳ４０２）した後、ステップＳ４０４に進む。
【００５２】
一方、登録済みでなければ、データベース４７の抽選番号フィールド４９に抽選番号を登録するとともに、データベース４７の送付人ＩＤフィールド５５に送付人ＩＤを登録し（ステップＳ４０３）、さらに、データベース４７の送付フラグフィールド５４に「１」をセットした後、次の登録情報があるか否かを判定し（ステップＳ４０４）、次の登録情報がある場合は、ステップＳ４０１に戻り、次の登録情報がない場合は、ステップＳ４００に戻る。
【００５３】
図１３は、送付人からの情報登録の一例を示す図である。この図は、たとえば、送付人端末から抽選番号の“Ａ０００１−００００１”、“Ａ０００１−００００２”および“Ａ０００１−００００３”と、送付人ＩＤの“ａａａ＠ｍａｉｌ．ｎｅ．ｊｐ”が送信された場合のデータベース４７への登録例を示している。この場合、データベース４７の抽選番号フィールド４９に“Ａ０００１−００００１”、“Ａ０００１−００００２”および“Ａ０００１−００００３”が登録されるとともに、データベース４７の送付人ＩＤフィールド５５に“ａａａ＠ｍａｉｌ．ｎｅ．ｊｐ”が登録され、さらに、データベース４７の送付フラグフィールド５４に「１」がセットされる。
【００５４】
再び、図１２に戻り、ステップＳ４００で送付人端末からの情報送信が判定されなかった場合は、次に、受取人端末（図１のユーザＢの通信端末５）からの情報送信であるか否かを判定する（ステップＳ４０５）。
【００５５】
ステップＳ４０５で受取人端末からの情報送信が判定された場合は、その受取人端末から送信された情報（抽選番号と受取人ＩＤ）を取り込み、その情報に含まれている抽選番号と受取人ＩＤがデータベース４７にすでに登録済みであるか否かを判定する（ステップＳ４０６）。
【００５６】
そして、登録済みであれば、たとえば、“この抽選番号は同一受取人ＩＤで登録済みです”などのエラーメッセージを受取人端末に送信（ステップＳ４０７）した後、ステップＳ４０９に進む。
【００５７】
一方、登録済みでなければ、データベース４７の抽選番号フィールド４９に抽選番号を登録するとともに、データベース４７の受取人ＩＤフィールド５７に受取人ＩＤを登録し（ステップＳ４０８）、さらに、データベース４７の受取フラグフィールド５６に「１」をセットした後、次の登録情報があるか否かを判定し（ステップＳ４０９）、次の登録情報がある場合は、ステップＳ４０６に戻り、次の登録情報がない場合は、ステップＳ４００に戻る。
【００５８】
図１４は、受取人からの情報登録の一例を示す図である。（ａ）は、たとえば、受取人端末から抽選番号の“Ａ０００１−００００１”、“Ａ０００１−００００２”および“Ａ０００１−００００３”と、受取人ＩＤの“ｂｂｂ＠ｍａｉｌ．ｎｅ．ｊｐ”が送信された場合のデータベース４７への登録例を示している。この場合、データベース４７の抽選番号フィールド４９にはすでに“Ａ０００１−００００１”、“Ａ０００１−００００２”および“Ａ０００１−００００３”が登録済みであるので、それらの登録済みレコードの受取人ＩＤフィールド５７に“ｂｂｂ＠ｍａｉｌ．ｎｅ．ｊｐ”が登録され、さらに、データベース４７の受取フラグフィールド５６に「１」がセットされる。
なお、（ｂ）は、抽選番号の“Ａ０００１−００００１”、“Ａ０００１−００００２”および“Ａ０００１−００００３”が登録済みでない場合の例である。この場合は、データベース４７の抽選番号フィールド４９に“Ａ０００１−００００１”、“Ａ０００１−００００２”および“Ａ０００１−００００３”が登録されるとともに、データベース４７の受取人ＩＤフィールド５７に“ｂｂｂ＠ｍａｉｌ．ｎｅ．ｊｐ”が登録され、さらに、データベース４７の受取フラグフィールド５６に「１」がセットされる。
【００５９】
図１５および図１６は、サーバ３で実行される抽選結果通知処理を示す図である。
なお、この抽選結果通知処理は当選結果の発表後に実行される。
【００６０】
この図において、サーバ３の制御部４１は、まず、データベース４７のｉ番目レコードの抽選番号フィールド４９から抽選番号を取り出し（ステップＳ５００）、取り出した抽選番号と、インターネット２等に公開されている当選結果とを照合する（ステップＳ５０１）。
【００６１】
そして、データベース４７のｉ番目レコードの抽選結果フィールド５２に当落の判定結果を登録する（ステップＳ５０２）。ここで、当落の判定結果が「落選」の場合は、抽選結果フィールド５２に落選を示す“０”を登録し、当落の判定結果が「当選」の場合は、抽選結果フィールド５２に、その当選等級（１等、２等、３等〜）を示す値（１等⇒“１”、２等⇒“２”、３等⇒“３”）を登録する。
【００６２】
次に、ｉを「＋１」し（ステップＳ５０３）、「ｉ＞ｉｍａｘ」を判定する（ステップＳ５０４）。ここで、ｉｍａｘはデータベース４７の有効レコード数（空白やＮｕＬＬ値以外の有意なデータが格納されたレコードの総数）である。「ｉ＞ｉｍａｘ」が判定されなかった場合（ステップＳ５０４のＮＯ）は、データベース４７の最終の有効レコードに到達していないので、再びステップＳ５００以降を実行するが、「ｉ＞ｉｍａｘ」が判定され場合（ステップＳ５０４のＹＥＳ）は、データベース４７の最終の有効レコードに到達しているので、ステップＳ５０５に進む。
【００６３】
次に、データベース４７から通知フラグフィールド５３の値が初期値（つまり未通知）で、かつ同一の受取人ＩＤのレコード群を一括して抽出し（ステップＳ５０５）、そのレコード群の当落の判定結果のすべてを、その受取人ＩＤ宛に所定の手段（ここではメールアプリケーションプログラム）で送信して通知する（ステップＳ５０６）とともに、レコード群の各レコードの通知フラグフィールド５３に「受取人へ通知済み」を示す“１”を格納する。
【００６４】
ついで、そのレコード群の中から送付人ＩＤが登録されているレコードを抽出し（ステップＳ５０７）、そのレコードの抽選結果が当選か否か（つまり、抽選結果フィールド５２の格納値が初期値以外であるか否か）を判定する（ステップＳ５０８）。
【００６５】
そして、そのレコードの抽選結果が当選であれば、当該レコードの送付人ＩＤフィールド５５に格納されている送付人ＩＤ宛に当選結果を所定の手段（ここではメールアプリケーションプログラム）で送信して通知（ステップＳ５０９）するとともに、当該レコードの通知フラグフィールド５３に「受取人と送付人の双方へ通知済み」を示す“２”を格納してステップＳ５１０に進む。
一方、そのレコードの抽選結果が当選でなければ、次に、他の受取人についても同様の処理をするために、他の受取人の有無を判定し（ステップＳ５１０）、その判定結果がＹＥＳであればステップＳ５０５以降の処理を繰り返し、その判定結果がＮＯであれば抽選結果通知処理を終了する。
そして、通信端末５は、サーバ３からの通知結果を表示部９への表示など、所定の方法で報知する。
【００６６】
以上のとおりであるから、実施形態の通知システム１によれば、以下の効果を奏することができる。
【００６７】
受取人が通信端末５の背面カメラ１３を用いて送付物４の抽選番号を文字認識し、文字認識した抽選番号と自分のＩＤ（送付人ＩＤ、受取人ＩＤ）とをサーバ３に送信すると、当選結果が発表された後に、サーバ３から当落結果の通知を受けることができ、さらに、送付人についても当選結果の通知を受けることができる（図１６のステップＳ５０９）。
【００６８】
したがって、「くじ抽選の結果を、送付物の受取人だけでなく送付人にも通知する」という冒頭に記載した発明の効果を奏することができる。
【００６９】
なお、実施の形態は以上説明した例示に限定されない。技術思想上は様々な発展例や変形例を含む。
たとえば、サーバ３からの通知の手段はメールに限らず、ＳＭＳ（ショートメッセージサービス）や抽選確認アプリケーションプログラムでのプッシュ通知、所定のＷｅｂページを表示することで通知するなどの他の手段であってもよい。
また、実施形態では抽選対象情報を「抽選番号」と呼称したが、これは一例である。一意に識別可能な、たとえば、コード、数字、文字または記号もしくは図形などで構成された情報であればよい。
また、実施形態では、通信端末５の送付人用データテーブル２９と受取人用データテーブル３１にそれぞれ送付人ＩＤと受取人ＩＤを登録するようにしているが、これにも限定されない。一般的に、通信端末５はアドレス帳のデータを保持しており、このアドレス帳には通信端末５の所有者情報（メールアドレス等）が登録されているので、サーバ３に抽選番号を送信する際に、アドレス帳から所有者情報を読み出して一緒に送信するようにしてもよい。
また、実施形態では、受取人が通信端末５の背面カメラ１３を用いて送付物４の抽選番号を文字認識し、文字認識した抽選番号と自分のＩＤ（送付人ＩＤ、受取人ＩＤ）とをサーバ３に送信すると、当選結果が発表された後に、自動的に送付人に対しても当選結果の通知することにしたが、これに限定されない。たとえば、受取人が当選結果を確認した後に、送付人に対しても当選結果を通知するか否かを選択できるようにしてもよい。
【００７０】
または、以下のように改良してもよい。
図１７は、図１２のサーバ処理の改良例を示す図である。この図に示すように、「次登録情報あり？」の判定（ステップＳ４０４）の後で、「登録数≧Ｎ」を判定し（ステップＳ６００）、さらに、その判定結果がＹＥＳの場合に送付人に対して任意の特典（たとえば、サービス懸賞用の抽選権等）を付与する（ステップＳ６０１）ようにしてもよい。
【００７１】
ここで、登録数とは、図１２のステップＳ４０１〜ステップＳ４０４のループの繰り返し回数に相当する数であり、要するに、送付人によってデータベース４７に登録された抽選番号の総数である。この登録数が所定値（Ｎ）を超える場合は通知サービスの優良な利用者であると判断できるので、登録数が所定値（Ｎ）を超える度に前記の特典を付与すると、さらなる利用の動機づけとなり、通知サービスのより一層の発展を期待できるから好ましい。ただし、Ｎは１以上の自然数である。
【００７２】
以上、本発明のいくつかの実施形態を説明したが、この発明は、これらに限定されるものではなく、特許請求の範囲に記載された発明とその均等の範囲を含むものである。
以下に、本件出願の特許請求の範囲に記載された発明を付記する。
【００７３】
（付記）
［１］付記１は、複数の情報処理端末とサーバを含む通知システムであって、
第一情報処理端末は、
送付物に対応付けられた抽選対象情報を、当該送付物の送付人の識別情報と共に前記サーバに送信する第一送信手段、
を備え、
第二情報処理端末は、
前記送付物に対応付けられた抽選対象情報を、当該送付物の受取人の識別情報と共に前記サーバに送信する第二送信手段、
を備え、
前記サーバは、
前記第一送信手段から送信された抽選対象情報と前記送付人の識別情報とを対応付けて記録する第一記録手段と、
前記第二送信手段から送信された抽選対象情報と前記受取人の識別情報とを対応付けて記録する第二記録手段と、
前記第二記録手段に記録されている抽選対象情報の当落を判定する第一判定手段と、
前記第一判定手段の判定結果を前記第一情報処理端末および前記第二情報処理端末に通知する通知手段と、
を備えたことを特徴とする通知システムである。
［２］付記２は、前記通知手段は、前記第一情報処理端末に対して前記抽選対象情報が当選の場合のみ通知し、前記第二情報処理端末に対して前記抽選対象情報の当選と落選のいずれの場合でも通知することを特徴とする付記１に記載の通知システムである。
［３］付記３は、前記サーバは、
前記第一送信手段によって送信された抽選対象情報の数を計数する計数手段と、
前記計数手段による計数結果が所定値を上回っているか否かを判定する第二判定手段と、
前記第二判定手段によって計数結果が所定値を上回っていることが判定される度に前記第一情報処理端末に対して特典を付与する付与手段と、
を更に備えたことを特徴とする付記１または２に記載の通知システムである。
［４］付記４は、前記第一情報処理端末は、
第一撮像手段を更に備え、
前記第一送信手段は、前記第一撮像手段による撮像によって得られた前記抽選対象情報を当該送付物の送付人の識別情報と共に前記サーバに送信し、
前記第二情報処理端末は、
第二撮像手段を更に備え、
前記第二送信手段は、前記第二撮像手段による撮像によって得られた前記抽選対象情報を当該送付物の受取人の識別情報と共に前記サーバに送信することを特徴とする付記１乃至３の何れかに記載の通知システムである。
［５］付記５は、情報処理端末と通信するサーバであって、
前記情報処理端末から送信された抽選対象情報と、前記送付人の識別情報と、前記受取人の識別情報と、を対応付けて記録する記録手段と、
前記抽選対象情報に対応する抽選の当落を判定する判定手段と、
前記判定手段の判定結果を前記情報処理端末に通知する通知手段と、
を備えたことを特徴とするサーバである。
［６］付記６は、サーバと通信する情報処理端末であって、
送付物に対応付けられた抽選対象情報を、当該送付物の送付人の識別情報または当該送付物の受取人の識別情報と共に前記サーバに送信する送信手段と、
前記サーバから送られる前記抽選対象情報に対応する抽選の当落結果を報知する報知手段と、
を備えたことを特徴とする情報処理端末である。
［７］付記７は、情報処理端末から送信された抽選対象情報と、前記送付人の識別情報と、前記受取人の識別情報と、を対応付けて記録する記録手段を備えたサーバの制御部に、
前記抽選対象情報に対応する抽選の当落を判定する判定手段、
前記判定手段の判定結果を前記情報処理端末に通知する通知手段、
としての機能を実現させるためのプログラムである。
［８］付記８は、通信端末の制御部に、
送付物に対応付けられた抽選対象情報を、当該送付物の送付人の識別情報または当該送付物の受取人の識別情報と共にサーバに送信する送信手段、
前記サーバから送られる前記抽選対象情報に対応する抽選の当落結果を報知する報知手段、
としての機能を実現させるためのプログラムである。
【符号の説明】
【００７４】
１  通知システム
３  サーバ（通知装置）
４  送付物
５  通信端末（情報処理端末）
１３  背面カメラ部（第一撮像手段、第二撮像手段）
１４  無線通信部（第一送信手段、第二送信手段、送信手段、報知手段）
２１  制御部（第一送信手段、第二送信手段、送信手段、報知手段）
３７  有線通信部（通知手段）
４０  記憶部（第一記録手段、第二記録手段、記録手段）
４１  制御部（第一記録手段、第二記録手段、第一判定手段、通知手段、計数手段、第二判定手段、判定手段、付与手段）
【図１】
2016153942.tif 000003
【図２】
2016153942.tif 000004
【図３】
2016153942.tif 000005
【図４】
2016153942.tif 000006
【図５】
2016153942.tif 000007
【図６】
2016153942.tif 000008
【図７】
2016153942.tif 000009
【図８】
2016153942.tif 000010
【図９】
2016153942.tif 000011
【図１０】
2016153942.tif 000012
【図１１】
2016153942.tif 000013
【図１２】
2016153942.tif 000014
【図１３】
2016153942.tif 000015
【図１４】
2016153942.tif 000016
【図１５】
2016153942.tif 000017
【図１６】
2016153942.tif 000018
【図１７】
2016153942.tif 000019